(57)【要約】【課題】低床ベッドに対応して且つ採尿バッグ及びカテーテルを患者の膀胱の位置より低く保つ為に、採尿バッグの取り付け位置をベッドボトム面より上で、且つマット面より下に取り付けられるように工夫した採尿バッグ取り付け装置を提供することを目的とするものでけある。【解決手段】ベッド側柵の縦桟の径よりも小さい開口部を設けた装着部材の前記開口部の側部にフックを設けた保持部材を設け、低床ベッド側柵の適宜位置に、患者の膀胱位置より下で、且つ採尿バッグの底部が床面に接触しないように、フックを設けた装着部材を介在させて垂下させ、前記装着部材は、合成樹脂製である。【選択図】図１
2008054868.tif 000002
【特許請求の範囲】
【請求項１】
ベッド側柵の縦桟の径よりも小さい開口部を設けた装着部材の前記開口部の側部にフックを設けた保持部材を設けたことを特徴とする採尿バッグの取り付け装置。
【請求項２】
低床ベッド側柵の適宜位置に、患者の膀胱位置より下で、採尿バッグの底部が床面に接触しないように、フックを設けた装着部材を介在させて垂下させることを特徴とする請求項１記載の採尿バッグの取り付け装置。
【請求項３】
前記装着部材は、合成樹脂製であることを特徴とする請求項１又は２記載の採尿バッグの取り付け装置。
【請求項４】
前記装着部材は、上部が段差部を設けたことを特徴とする請求項１〜３までのいずれか１項に記載の採尿バッグの取り付け装置。
【請求項５】
採尿バッグの垂下部を保持する少なくとも一つの保持部材を前記装着部材の側部に設けたことを特徴とする請求項１〜３までのいずれか１項に記載の採尿バッグの取り付け装置。
【請求項６】
前記保持部材は、少なくとも一つのフック部を構成することを特徴とする請求項１〜３まで又は５のいずれか１項に記載の採尿バッグの取り付け装置。
【請求項７】
前記保持部材は、少なくとも一つの支持部材を挿入嵌合させて用いることを特徴とする請求項１〜３まで又は請求項５又は６のいずれか１項に記載の採尿バッグ取り付け装置。
【請求項８】
前記装着部材とその前記保持部材を低床ベッド側柵の縦桟の二箇所に設けたことを特徴とする請求項１〜３までのいずれか１項に記載の採尿バッグの取り付け装置。
【請求項９】
前記保持部材は、前記支持部材を挿入させて用い、該支持部材を回動自在に支持する枢軸と前記支持部材に取り付けられた左右に延びた棒状部の端
部がフック部を形成している金具とを設けていることを特徴とする請求項１〜３まで又は請求項５〜７までのいずれか１項に記載の採尿バッグの取り付け装置。
【請求項１０】
前記保持部材は前記装着部材の側部に取り付けることに限定されないことを特徴とする請求項１〜４までのいずれか１項に記載の採尿バッグ取り付け装置。
【請求項１１】
前記低床ベッド側柵の採尿バッグの取り付け位置は、ベッドボトム面より上で、且つマット面より下にしたことを特徴とする請求項１記載の採尿バッグ取り付け装置。
【発明の詳細な説明】
【技術分野】
【０００１】
低床ベッドの側柵に取り付けられる採尿バッグを患者の膀胱より低く位置させ、且つ採尿バッグの廃液口が床に接触しない様にして、尿路感染の防止並びに尿量を計測する時や尿を廃棄する時に便利にするような採尿バッグの側柵に取り付ける適宜な位置を維持する採尿バッグの取り付け装置に関するものである
【背景技術】
【０００２】
採尿バッグは、円形で一箇所を吊るすタイプのものと、四角形でハンガータイプの吊るし部を有するものとがあって、どちらも無造作にベッド側柵の横桟にバンドで固定して吊るされていて、採尿バッグの低部が床面に接触していて廃液口から菌が侵入して尿を汚染して仕舞うケースが多かった。
【０００３】
一般に、尿路感染（ＵＴＩ：Ｕｒｉｎａｒｙ  Ｔｒａｃｔ  Ｉｎｆｅｃｔｉｏｎ）とは、微生物が尿路に感染することをいい、急性期施設では、院内感染の４０％がＵＴＩであり、その内６６から８６％は尿路への器具の挿入、主に尿路カテーテルの留置後に発生し、尿路カテーテルに由来する尿路感染症（ＣＡＵＴＩ；Ｃａｔｈｅｔｅｒ−ａｓｓｏｃｉａｔｅｄ  Ｕｒｉｎａｒｙ  Ｔｒａｃｔ  Ｉｎｆｅｃｔｉｏｎ）は、高リスクの患者においては、感染が長期化し、前立腺炎、副睾丸炎、グラム陰性菌血症等の合併症を招来することがあり、カテーテルに起因する尿路感染症患者の内、菌血症を発症する患者は０．５〜３．９％であり、この二次的菌血症による死亡率は１０〜３０％と推定される。また、高齢者施設では尿路カテーテルの留置が菌血症のリスクを６０倍に高めるとの報告もある。
【０００４】
最近のベッドは利用者の寝起きの動作のし易さ、高齢者のベッドからの転落持の怪我予防、介護者の介護負担の低減等から低床化されており、従来の採尿バッグが床に接触するため、床部の菌が採尿バッグから体内に入り院内感染を起こす問題があった。
なお、採尿バッグを取り付ける従来技術としては例えば、特許文献１に示すようなものがある。
【特許文献１】特開２００１−８７２９８
【発明の開示】
【発明が解決しようとする課題】
【０００５】
本発明は、低床ベッドに対応して且つ採尿バッグ及びカテーテルを患者の膀胱の位置より低く保つ為に、採尿バッグの取り付け位置をベッドボトム面より上で、且つマット面より下に取り付けられるように工夫した採尿バッグ取り付け装置を提供することを目的とするものでけある。
【課題を解決するための手段】
【０００６】
第１の発明は、ベッド側柵の縦桟の径よりも小さい開口部を設けた装着部材の前記開口部の側部にフックを設けた保持部材を設けたことを特徴とする。
【０００７】
このことにより、装着部材はベッド側柵の縦桟に嵌合して外れることはなくなり、開口部側部にフックを設けた保持部材を設けたことで、この保持部材に大きともなくなる。
【０００８】
第２の発明は、低床ベッド側柵の適宜位置に、患者の膀胱位置より下で、採尿バッグの底部が床面に接触しないように、フックを設けた装着部材を介在させて垂下させることを特徴とする。
【０００９】
このことにより、採尿バッグの機能を、尿の逆流を防ぎ安定的にすることができ、且つ採尿バッグの底部にある廃液口から菌が侵入して尿を汚染して仕舞うことは無くなり、院内感染の元を絶つことになるものである。
【００１０】
第３の発明は、前記装着部材は、合成樹脂製あることを特徴とする。
【００１１】
このことにより、装着部材に合成樹脂の特有の弾性力を持たせることになり、ベッド側柵の縦桟に嵌合時に、容易に縦桟の径より小さい開口部を有する装着部材を嵌合させることができる。
【００１２】
第４の発明は、前記装着部材は、上部が段差部を設けたことを特徴とする。
【００１３】
このことにより、装着部材をベッド側柵の縦桟に嵌合する時に、上部の段差部よりおこなっていくことにより、より不必要な力を入れることなくスムーズに嵌合することができるものである。
【００１４】
第５の発明は、採尿バッグの垂下部を保持する少なくとも一つの保持部材を前記装着部材の側部に設けたことを特徴とする。
【００１５】
このことにより、採尿バッグによる負荷等が懸かる保持部材を取り付けたのが、取り付け部材の側部であるため、ベッド側柵の縦桟に嵌合された取り付け部材が、前記負荷等のために、開口部から嵌合を解除されるおそれはなくなるものである。
【００１６】
第６の発明は、前記保持部材は、少なくとも一つのフック部であることを特徴とする。  
【００１７】
このことにより、確実に採尿バッグをこのフックに垂下させて安定した位置取りを行うものであり、また複数のフックを設けることにより、採尿バッグのサイズ等による設定条件の変化に対応することができるものである。
【００１８】
第７の発明は、前記保持部材は、少なくとも一つの支持部材を挿入嵌合させて用いることを特徴とする。
【００１９】
これにより、保持部材に挿入嵌合させるフック等を有する支持部材を色々変化させて最適なものを採用することができるものであり、また複数設けたことにより、採尿バッグのサイズ等の設定条件の変化に対応することができるものである。
【００２０】
第８の発明は、前記装着部材とそれの前記保持部材を低床ベッド側柵の縦桟の二箇所に設けたことを特徴とする。
【００２１】
これにより、ハンガータイプの垂下部を有する四角形状の採尿バッグに対して、ハンガーの両端の二箇所で支持して採尿バッグを水平に維持することが可能となり、また複数の採尿バッグの垂下等の設定条件の変化に対応できるものである。
【００２２】
第９の発明は、前保持部材は、前記支持部材を挿入させて用い、該支持部材を回動自在に支持する枢軸と前記支持部材に取り付けられた左右に延びた棒状部の端部がフック部を形成している金具とを設けていることを特徴とする。
【００２３】
このことにより、左右に延びた金具の端部の二箇所によって、ハンガータイプの四角形状の採尿バッグを水平に維持しながら垂下させることが可能となるものであり、折り畳み式のベッド側柵の場合桟の角度変化が生じるために、この採尿バッグの重心の移動に応じて保持部材に挿入させた支持部材が枢軸を中心に回動して、前記のように常に採尿バッグを水平に保つものである。
【００２４】
第１０の発明は、前記保持部材は前記装着部材の側部に取り付けることに限定されないことを特徴とする。
【００２５】
このことにより、装着部材と保持部材の一体成形の場合、特に成形保持部材が一定していなくともよいことになり、一体成形自由度が増すものであり、また別体成形の後の接着取り付けの場合にも特に限定されないことから自由度が増すものであり、また装着部材のいかなる場所に保持部材を取り付けたとしても装着部材自体が縦桟に嵌合されているものであるから、一端嵌合した装着部材が縦桟から外れるには縦桟の径より小さい間隔の装着部材の開口部の間隔を弾性部材からなる装着部材の弾性力に抗して押し広げる力を要することになり、採尿バッグの引っ掛けによる垂下によった位では取り付け部材が縦桟からとり外れるようなことはない。
【００２６】
第１１の発明は、前記低床ベッド側柵の採尿バッグの取り付け位置は、ベッドボトム面より上で、且つマット面より下にしたことを特徴とする。
【００２７】
このことにより、患者からの尿路の機能つまり採尿バッグの機能性を、逆流することなく、安定的にすると共に、採尿バッグの底部にある廃液口から菌が侵入して尿を汚染して仕舞うことは無くなり、院内感染の元を絶つことになる。
【発明の効果】
【００２８】
本発明の、排尿バッグの取り付け装置によって、装着部材はベッド側柵の縦桟に嵌合して外れることはなく、開口部側部にフックを設けた保持部材を設けたことで、この保持部材に大きな負荷が作用しても横方向からの力の作用のため、開口部から外れることもなくなり、採尿バッグの機能を安定的にすることができる。且つ、採尿バッグの底部にある廃液口から菌が侵入して尿を汚染して舞うことは無くなり、院内感染の元を絶つことになるものである。また、装着部材に合成樹脂の特有の弾性力を持たせることになり、ベッド側柵の縦桟に嵌合時に、容易に縦桟の径より小さい開口部を有する装着部材を嵌合させることができる。また、装着部材をベッド側柵の縦桟に嵌合する時に、上部の段差部よりおこなっていくことにより、より不必要な力を入れることなくスムーズに嵌合することができる。
【００２９】
採尿バックによる負荷等が掛かる保持部材を取り付けたのが、装着部材の側部であるため、ベッド側柵の縦桟に嵌合された装着部材が、前記負荷等のために嵌合を解除されるおそれはなくなり、確実に採尿バッグをこのフックに垂下させて安定した位置取りを行うことができる。また複数のフックを設けることにより、採尿バッグのサイズ等による設定条件の変化に対応することができる。また、保持部材に挿入嵌合させるフック等を有する支持部材に色々変化させて最適なものを採用することができる。また複数設けたことにより、採尿バッグのサイズ等の設定条件の変化にも対応することができるものであり、ハンガータイプの垂下部を有する四角形状の排尿バッグに対して、ハンガーの両端の二箇所で指示して排尿バッグを水平に維持することが可能となる。また複数の排尿バッグの垂下等の
【００３０】
更に、左右に延びた棒状の金具の端部の二箇所のフック部によって、ハンガーる。また、折り畳み式のベッド側柵の場合桟の角度変化が生じるために、この排尿バッグの重心の移動に応じて保持部材に挿入させた支持部材が枢軸を中心に回動して、前記のように常に採尿バッグを水平に保ち、装着部材と保持部材の一体成形の場合、特に成形保持部材が一定していなくともよいことになり、一体成形自由度が増すものである。また別体成形の後の接着取り付けの場合にも特に限定されないことから自由度が増すものである。また装着部材のいかなる場所に保持部材を取り付けたとしても装着部材自体が縦桟に嵌合されているものであるから、一端嵌合した装着部材が縦桟から外れるには縦桟の径より小さい間隔の装着部材の開口部の間隔を弾性部材からなる装着部材の弾性力に抗して押し広げる力を要することになり、採尿バッグの引っ掛けによる垂下に依った位では取り付け部材が縦桟からとり外れるようなことはない。
更に、患者からの尿路の機能つまり採尿バッグの機能性を逆流することなく、安定的にすると共に、採尿バッグの底部にある廃液口から菌が侵入して尿を汚染して仕舞うことは無くなり、院内感染の元を絶つことになる。
【発明を実施するための最良の形態】
【００３１】
先ず、図１は、本発明の採尿バッグの取り付け装置の内、採尿バッグを垂下させるフック２を装着部材１に一体成形したものを示す図である。尚、図において、装着部材１の上部が開口部Ａから嵌合する方向に向けて段差部Ｂを有するが、これは上端部から順次下端部へかけて嵌合していくことにより、余計な力を入れることもなく、スムーズに嵌合ができるものである。
図２は、装着部材１とフック３とを別々に成形して、これを後になって接着するものが示されている。何れの場合も、装着部材１の開口部Ａの間隔がベッド側柵の縦桟の直径より小さく設計されており、これを押し開くかあるいは押しつけるかして、ベッド側柵の縦桟に嵌合して用いるものである。
これにより、装着部材１自体が縦桟１３に嵌合されているものであるから、一端嵌合した装着部材１が縦桟１３から外れるには縦桟１３の径より小さい間隔の装着部材の開口部Ａの間隔を弾性部材からなる装着部材の弾性力に抗して押し広げる力を要することになり、採尿バッグ１５の引っ掛けによる垂下によった位では装着部材１が縦桟１３からとり外れるようなことはない。
【００３２】
図３には、装着部材１と一体成形または別々に成形後、後で接着させたものである保持部材４にフック３を有する支持部材７の挿入口６から、保持部材４の突出部５で保持部材４との間に、前記支持部材７を挟持する場合と、保持部材４とその突出部５との間に長片１１と短片９とを有する支持部材７の短片９を挟持させて長片１１に採尿バッグを取り付けるフック３等を取り付ける。
【００３３】
図４には、先に装着部材１の保持部材４に挟持させた所の長片１１と短片９とを有する保持部材４の短片９と長片１１との間に断面コ字状の支持部材７の一片を挿入してビス８等によって軸枢させて取り付けるものを示している。図ではこの支持部材７には棒状で両端部１２が鉤状に曲がったフック部を形成していて、ここに四角形状で垂下部１４がハンガータイプの採尿バッグ１５を垂下させるものであり、これによって、長片１１を接着させた装着部材１が折り畳み式のベッド側柵に取り付けられた時に、側柵を折り畳む時に縦桟１３が角度変化するのに応じて採尿バッグ１５の重心の移動に伴い、枢軸８を中心に支持部材７が回転移動して採尿バッグ１５を水平に保つものである。
【００３４】
図５には断面コ字状の保持部材４の間に上部が断面逆Ｕ字状の支持部材１０の短片９を挿入して、前記断面コ字状の保持部材７の一方を接着固定して、支持部材１０に長片に色々なフック３等の採尿バッグ支持部材１０接着させて使用するものが示されている。
【００３５】
図６，図７に、装着部材１をベッド側柵の円筒パイプ状の縦桟１３に嵌合した時の一実施例の横断面図をそれぞれ示している。
【００３６】
また、図７において、別体成形のフック等の保持部材４の取り付けにるは、装着部材１の側面部が曲率を有する曲面であるために、フック等の保持部材４に装着部材側面部の曲率に見合う曲率を持たせる必要があり、一体成形の場合にはその整合性に配慮する必要はなくなる。
【００３７】
図８に、装着部材１をベッド側柵の角筒パイプ状の縦桟１３に嵌合した時に、角筒パイプ状の縦桟１３に装着し易いように、装着部材１の開口部Ａに面した部分である端部Ｃ，Ｃを外側に折り返している。且つ開口部Ａの広さが縦桟１３の長辺若しくは短辺の長さより小さいものとし、それを、装着部材１のベッド側柵の縦桟１３に嵌合圧着固定した時の横断面図を示している。この場合も、装着部材１の側面部が僅かに曲率を有することから、装着部材１とフック等の保持部材４を別体成形して後に接着し合う場合には、フック等の保持部材４に装着部材１の側面部の曲率に見合う僅かな曲率を持たせる必要が出てくるものであり、一体成形の場合にはその整合性に配慮する必要はなくなる。
【００３８】
図９、図１０に折り畳み式ベッド側柵１６の垂直平時の時と折り畳もうとする時との側柵１６の桟の二箇所でフックで採尿バッグのハンガーを支持した時の様子を示しているが、この内、折り畳み式ベッド側柵１６の縦桟の二箇所１３，１３に装着部材１に装着したフック２，２に四角形状の採尿バッグ１５の垂下部１４を垂下させても、折り畳む以前の垂直時の採尿バッグ１５及びハンガー１４を垂下させたフック２，２の時と、平行移動の為、採尿バッグ１５の間の水平度に変わりはない。
【００３９】
図１１、図１２に折り畳み式ベッド側柵１６を折り畳もうとする時と垂直平時の時との側柵１６の一箇所で、上記の短片に断面コ字状の支持部材をビス８で軸枢させたもので、左右に延び棒状金具の両端部に鉤状フック部１２，１２を有する支持部材に、四角形状の採尿バッグ１５のハンガータイプの垂下部１４を引っ掛けて垂下させた時の様子を示しているが、この場合も上記の通り、採尿バッグ１５はベッド側柵１６の縦桟１３に取り付けられた前記鉤状フック部１２，１２に垂下された垂下部１４が、前記断面コ字状の支持部材７が逆Ｕ字状部材の短片に軸枢するビス８の周りに回転して水平状態を保つものである。  
【００４０】
図１３、図１４に、折り畳み式ベッド側柵１６に対する縦桟１３の下方部に、本発明の採尿バッグ装着部材１に一体成形乃至は別体成形の後の接着による取り付けたフック２に、円形で垂下部が一箇所の採尿バッグ１５を垂下部１４によって取り付けた様子を示している。この場合図に示すように折り畳み式のベッド側柵１６の縦桟１３の角度変化にも関わらず、フック２による垂下部１４の取り付けが一箇所であるため、その前後の間に変化は生じ得ない。
【００４１】
このように、装着部材１は、それに取り付けた保持部材４と支持部材７と共に、嵌合タイプで且つ自在にベッド側柵１６の縦桟１３の位置に取り付けることができる。即ち、採尿バッグ１５を患者の膀胱より下で、且つ床に接触しない高さに調節することができる。特に縦桟１３が差し込み式側柵の場合は、採尿バッグ１５の取り付け位置がベッドのボトム下からマット上の間の３３ｍｍの間に位置させることができる。また、例えば、折り畳み側柵の場合には、２５ｍｍから５０ｍｍの間に位置させることができる。
【００４２】
また、この嵌合タイプの装着部材１は取り外し自在であるため、普段採尿バッグを使用しない場合には取り外して置くことができ、低床ベッドの乗り降りの時の邪魔にならなくすることができる。そして、いざ採尿バッグ１５を取り付ける必要がある時にのは先の位置に取り付ければ良いことになる。
【００４３】
また、上記のように、採尿バッグ１５には垂下部１４が一箇所の円形のタイプと垂下部１４がハンガータイプの四角形のものがあるので、本発明の採尿バッグの装着部材１はフック２を一箇所設ける場合と、複数設ける場合とがあり、それは円形タイプ採尿バッグ１５の垂下部１４が一箇所のものを多数個垂下させる場合もあれば、複数の桟１３に渡ってこのフックが一箇所のものを複数取り付けることでハンガータイプの垂下部１４の四角形の採尿バッグを垂下させることも可能であるものであることは上記した通りである。
【産業上の利用可能性】
【００４４】
本発明は，以上の通りであるので、特に低床ベッドにおいても、採尿バッグを安全に採用することができ、尿路感染等の病気を未然に防止することができる。
【図面の簡単な説明】
【００４５】
【図１】本発明の採尿バッグの取り付け装置の内、装着部材に採尿バッグを垂下させるフックを装着部材に一体成形したものを示す図である。
【図２】本発明の採尿バッグ取り付け装置の内、装着部材とフックとを別々に成形して、これを後になって接着するものを示している。
【図３】本発明の採尿バッグの取り付け装置の内、一体成形乃至は別体成形の保持部材に色々な保持部材を取り付ける様子を示している
【図４】本発明の採尿バッグ取り付け装置の内、別体成形のもので折り畳み式ベッド側柵の折り畳み時の桟の角度変化に対応可能なハンガータイプの垂下部の採尿バッグの保持部材と支持部材の様子を示す図である。
【図５】本発明の採尿バッグ取り付け装置に、断面コ字状の保持部材に逆Ｕ字状の支持部材を装着させたものを示している。
【図６】本発明の採尿バッグ取り付け装置の内、ベッド側柵の円筒パイプ状の縦桟に嵌合した時の、一実施例の横断面図である。
【図７】本発明の採尿バッグの取り付け装置の内、ベッド側柵の円筒パイプ状の縦桟に嵌合した時の、一実施例の横断面図である。
【図８】本発明の採尿バッグの取り付け装置の内、ベッド側柵の角筒パイプ状の縦桟に嵌合した時の、一実施例の横断面図である。
【図９】本発明の採尿バッグ取り付け装置の装着部材がフックを有するものを、折り畳み式ベッド側柵の桟の二箇所に取り付けてハンガータイプの垂下部の採尿バッグを垂下させて、垂直平時での水平維持状態を確認する図である。
【図１０】本発明の採尿バッグ取り付け装置の装着部材がフックを有するものを、折り畳み式ベッド側柵の桟の二箇所に取り付けてハンガータイプの垂下部の採尿バッグを垂下させて、折り畳もうとする時での水平維持状態を確認する図である。
【図１１】本発明の採尿バッグ取り付け装置の内、折り畳み式ベッド側柵の折り畳みの時の桟の角度変化に対応可能な支持部材を保持部材に取り付けて、垂直平時の時の様子を示す図である。
【図１２】本発明の採尿バッグ取り付け装置の内、折り畳み式ベッド側柵の折り畳みの時の桟の角度変化に対応可能な支持部材を保持部材に取り付けて、折り畳もうとする時の水平維持の様子を示す図で有る。
【図１３】円形で垂下部が一箇所である採尿バッグを、折り畳み式ベッド側柵の縦桟に本発明の採尿バッグ取り付け装置の装着部材への保持部材であるフックを有するもので取り付けた様子の内、垂直平時の時の状態が示されている。
【図１４】円形で垂下部が一箇所である採尿バッグを、折り畳み式ベッド側柵の縦桟に本発明の採尿バッグ取り付け装置の装着部材への保持部材であるフックを有するもので取り付けた様子の内折り畳もうとする時の状態が示されている。
【符号の説明】
【００４６】
１                        装着部材
２                        フック
３                        フックを設けた保持部材
４                        保持部材
５                        突出部
６                        挿入口
７                        支持部材
８                        ビス等の枢軸部材
９                        短片
１１                      長片
１２                      鉤状フック部
１３                      縦桟
１４                      垂下部
１５                      採尿バッグ
１６                      ベッド側柵
Ａ                        開口部
Ｂ                        段差部
Ｃ                        折り返し部
【図１】
2008054868.tif 000003
【図２】
2008054868.tif 000004
【図３】
2008054868.tif 000005
【図４】
2008054868.tif 000006
【図５】
2008054868.tif 000007
【図６】
2008054868.tif 000008
【図７】
2008054868.tif 000009
【図８】
2008054868.tif 000010
【図９】
2008054868.tif 000011
【図１０】
2008054868.tif 000012
【図１１】
2008054868.tif 000013
【図１２】
2008054868.tif 000014
【図１３】
2008054868.tif 000015
【図１４】
2008054868.tif 000016